(57)【要約】【課題】窓ガラスに防犯ガラスや防犯フィルムを用いた場合におけるクレセント錠などの施錠手段近傍の窓ガラスの防犯性能をより高める。【解決手段】  サッシ窓は、防犯ガラスや防犯フィルムによって構成された所定形状のガラス板１５，２５をその周縁部に沿って設けられた枠部材１１〜１４，２１〜２４によって堅持することによって構成される。また、サッシ窓は建築構造物の開口部に開閉可能に取り付けられると共に閉鎖時には施錠手段３０，３１によって施錠される。このようなサッシ窓において、施錠手段３０，３１の近傍のガラス板の表面にガラス面板補強構造体として、防犯フィルムを重ねて設けることによってガラス板を補強するようにした。【選択図】図３
2005002774.tif 000002
【特許請求の範囲】
【請求項１】
ガラス板の周縁部に沿って設けられた枠部材によって前記ガラス板を堅持することによって構成され、構築構造物の開口部に開閉可能に取り付けられると共に閉鎖時には施錠手段によって施錠されるように構成されたサッシ窓において、
前記施錠手段近傍の前記ガラス板の表面にガラス面板補強構造体を重ねて設けることによってガラス板を補強したことを特徴とするサッシ窓。
【請求項２】
請求項１に記載されたサッシ窓において、前記ガラス面板補強構造体として防犯フィルムを使用し、前記ガラス板の全面に第１の防犯フィルムを貼付し、前記施錠手段近傍を覆うように前記第１の防犯フィルム上にさらに１又は複数の防犯フィルムを重ねて貼付したことを特徴とするサッシ窓。
【請求項３】
請求項２に記載されたサッシ窓において、前記第１の防犯フィルムは、不透明部材で構成されていることを特徴とするサッシ窓。
【発明の詳細な説明】
【技術分野】
【０００１】
本発明は、住宅や店舗等の構築構造物の開口部に設けられる引違い窓、引き分け窓、片引き窓、開き窓、辷り出し窓、上げ下げ窓、内開き窓、外開き窓等の各種サッシ窓に係り、特に防犯性能を向上させたサッシ窓に関する。
【背景技術】
【０００２】
サッシ窓は、住宅や店舗等の構築構造物の開口部に設置されるものであり、開閉部材の一部に施錠手段としてのクレセント錠が取り付けられている。クレセント錠は、例えば、引き違いサッシ窓の場合には、内障子の内召し合せ框に錠本体が、外障子の外召し合せ框に錠受けが取り付けられて、閉鎖状態で内召し合せ框の錠本体の係合部が回転することによって外召し合せ框の錠受けに係合し、施錠されるような構成になっている。これ以外の引き分け窓、片引き窓、開き窓、引き窓、開き窓、辷り出し窓、上げ下げ窓、内開き窓、外開き窓等のサッシ窓の場合も若干の構成は異なるが同様の施錠手段が設けられている。
【０００３】
このクレセント錠は、サッシ窓に近づけば室外からでも容易に施錠されているか又は解錠されているかの状態を知ることができるため、施錠されていない場合、そのことを悪意を持った侵入者に容易に知られてしまうおそれがある。また、室外からクレセント錠の構造が容易に確認できるため、施錠されている場合であっても、侵入者が故意に、窓ガラスの一部を破壊し、そこから手を差し込まれ解錠されるおそれがある。
【０００４】
そこで、最近では、防犯性能を向上させるために、複層ガラス、合わせガラス又は合わせ複層ガラスといった防犯性を向上させたガラスを窓ガラスに用いたり、防犯フィルムを窓ガラスに装着することによって、ガラス自体を割れにくくし、ガラスの飛散を防ぎ、侵入者によるガラス破りに対抗している。
【０００５】
防犯ガラスについては、特許文献１に記載されており、防犯フィルムについては、特許文献２に記載されている。
【特許文献１】特開２００１−２１３６４５号公報
【特許文献２】特開２００２−１８００１９号公報
【発明の開示】
【発明が解決しようとする課題】
【０００６】
上述のように窓ガラスに防犯ガラスや防犯フィルムを用いたものは、窓ガラスの面板全体としての貫通力抑止性能を高め、防犯性能を向上させているが、面板の特定部分、特に比較的破壊攻撃を受けるおそれの高い施錠手段近傍においては、更なる防犯性能の向上が望まれている。
【０００７】
本発明の目的は、窓ガラスに防犯ガラスや防犯フィルムを用いた場合におけるクレセント錠などの施錠手段近傍の窓ガラスの防犯性能をより高めることのできるサッシ窓を提供することにある。
【課題を解決するための手段】
【０００８】
本発明のサッシ窓に係る第１の特徴は、ガラス板の周縁部に沿って設けられた枠部材によって前記ガラス板を堅持することによって構成され、構築構造物の開口部に開閉可能に取り付けられると共に閉鎖時には施錠手段によって施錠されるように構成されたサッシ窓において、前記施錠手段近傍の前記ガラス板の表面にガラス面板補強構造体を重ねて設けることによってガラス板を補強したことにある。サッシ窓は、住宅や店舗等の構築構造物の開口部に設けられる引違い窓、引き分け窓、片引き窓、開き窓、辷り出し窓、上げ下げ窓、内開き窓、外開き窓等である。このようなサッシ窓のガラス板には、複層ガラス、合わせガラス又は合わせ複層ガラスといった防犯性能の高い防犯ガラスを用いたり、一般的な汎用ガラス板にガラス面板補強構造体である防犯フィルムを装着したもの、あるいは防犯ガラスにさらに防犯フィルムを装着したもの等が用いられる。ガラス板は、通常その周縁部に沿って設けられた枠部材によって堅持されており、施錠手段はこの枠部材を利用して取り付けられている。なお、枠部材は、枠自体のみの構造でも、この枠にビードなどの押さえ部材を含む構造のどちらでも良い。また、枠部材によって堅持されるのは、ガラス板のみの場合とガラス板と防犯フィルムの両方の場合を含む。例えば、ガラス破りを行なおうと悪意を持った侵入者は、通常、施錠手段付近のガラス板を破壊しようとすることが多いので、この発明では、この施錠手段近傍のガラス板に表面にガラス面板補強構造体を重ねて設けるようにしたものである。従って、ガラス板の表面であって、施錠手段の近傍に、ガラス面板補強構造体が重ねて設けられているので、ガラス面板補強構造体の防犯性能が加わりガラス破りなどによる侵入時間の遅延が増大し、防犯性能をより高めることができる。
【０００９】
本発明のサッシ窓に係る第２の特徴は、前記第１の特徴に記載されたサッシ窓において、前記ガラス面板補強構造体として防犯フィルムを使用し、前記ガラス板の全面に第１の防犯フィルムを貼付し、前記施錠手段近傍を覆うように前記第１の防犯フィルム上にさらに１又は複数の防犯フィルムを重ねて貼付したことにある。この発明は、ガラス面補強構造体を防犯フィルムで構成し、この防犯フィルムを２重、３重に複数重ねて貼付することによって、防犯性能を更に向上させたものである。
【００１０】
本発明のサッシ窓に係る第３の特徴は、前記第２の特徴に記載されたサッシ窓において、前記第１の防犯フィルムが、不透明部材で構成されていることにある。ガラス板の全面に貼付される防犯フィルムが、例えば外部から内部が見え難いような不透明な部材で構成されているので、クレセント錠などの施錠手段近傍が外部から目隠し状態となり、どのような構造の施錠手段がどの箇所に設けられているのか、また、その施錠や解錠などの状態を外部から認識でき難くし、これによって防犯性能を更により一層向上することができる。
【発明の効果】
【００１１】
以上説明したように本発明のサッシ窓によれば、窓ガラスに防犯ガラスや防犯フィルムを用いた場合におけるクレセント錠などの施錠手段近傍の窓ガラスの防犯性能をより高めることができるという効果がある。
【発明を実施するための最良の形態】
【００１２】
以下添付図面に従って本発明に係るサッシ窓の好ましい実施の形態について説明する。この実施の形態ではサッシ窓として左右に開閉される引違いサッシ窓を例に説明する。図１は、本発明のサッシ窓の第１の実施例の概略構成を示す図である。図２は、図１のＡ−Ａ線の断面を示す図である。
【００１３】
このサッシ窓は、住宅や店舗などの構築構造物の窓部分に配置されるものであり、建物躯体の開口部に設けられたアルミ製の上枠１、下枠２及び縦枠３，４によって囲まれた矩形部分に設けらるものである。サッシ窓は内障子１０と外障子２０から構成される。内障子１０は、上框１１、下框１２、戸先框１３、内召し合せ框１４及び窓ガラス１５から構成される。外障子２０は、上框２１、下框２２、戸先框２３、外召し合せ框２４及び窓ガラス２５から構成される。なお、図１では、外召し合せ框２４は内召し合せ框１４に隠れているので、図示されていないが、内召し合せ框１４と同じ部分に存在するものとして説明する。
【００１４】
窓ガラス１５，２５は、複層ガラス、合わせガラス又は合わせ複層ガラスなどといった防犯性能の高い防犯ガラス、又は一般の汎用板ガラスに防犯フィルムを装着すること、あるいは前述の防犯ガラスにさらに防犯フィルムを装着することによって防犯性能の高められたもので構成されている。防犯フィルムは、可撓性、柔軟性、弾性及び高強度な特性等な有する材質よりなり、例えば、ポリエステル樹脂を主成分とする合成樹脂や、ポリエチレン、ポリウレタン、ポリビニルプチラール（ＰＶＢ）、ポリカーボネートなどの樹脂を主成分とする合成樹脂からなる。クレセント錠３０は、内召し合せ框１４の左側に取り付けられ、クレセント受３１は、外召し合せ框２４の左側に取り付けられている。そして、クレセント錠３０とクレセント受３１が互いに係合して、内障子１０と外障子２０が開かないように施錠している。なお、防犯フィルムが装着された窓ガラスの場合は、屋内等の内部側となる窓ガラスの表面に装着されることが好ましく、また、窓ガラス全体に装着されていなくても、クレセント錠３０の近傍だけに装着してあってもよい。
【００１５】
このような一般的な引違いサッシ窓の場合、ガラス破りを行なおうとする侵入者は、施錠されたクレセント錠３０及びクレセント受３１付近のガラスを破壊しようとする。この第１の実施例では、窓ガラス１５，２５の内側表面であって、クレセント錠３０及びクレセント受３１を保護するように長尺状の薄い板材からなるガラス面板補強構造体４０，４１が内召し合せ框１４及び外召し合せ框２４に沿って設けてある。従って、ガラス破りを行なおうとしてもこのガラス面板補強構造体４０，４１の設けられた個所のガラス破りを行なうことは困難となる。また、このガラス面板補強構造体４０，４１の無い部分のガラス破りを行なおうとした場合、その部分は防犯ガラス又は防犯フィルムによって保護されており、さらに、外召し合せ框２４及び内召し合せ框１４からも十分に遠い個所なので、従来のように窓ガラス１５，２５の周縁部すなわち外召し合せ框２４及び内召し合せ框１４近傍のガラス部分が脱落してしまうようなこともないので、防犯ガラス又は防犯フィルムの性能に応じてガラス破りは困難なものとなる。ガラス破りが困難となり、侵入時間の遅延が増大することによって、侵入者は、結局侵入を諦めざるを得なくなるという状況が発生し、防犯性能を高めることができる。
【００１６】
ガラス面板補強構造体４０，４１は、サッシ窓の用途などによって、アルミ板、合成樹脂、木質材、その他の金属素材、例えばステンレス鋼やスチールなどで構成される。また、ガラス面板補強構造体４０，４１は、接着剤や両面テープなどによって窓ガラス１５，２５に接着固定される。ガラス面板補強構造体４０は、窓ガラス２５の内側表面であって、クレセント錠３０及びクレセント受３１を覆うように外召し合せ框２４に沿って平行に設けられている。ガラス面板補強構造体４１は、窓ガラス１５の内側表面であって、内召し合せ框１４に沿って平行に設けられている。なお、ガラス面板補強構造体４０は、クレセント受３１と窓ガラス２５との間の隙間に設けられるだけの厚さの板材でなければならないが、ガラス面板補強構造体４１は、このような制約を受けることはない。このようにガラス面板補強構造体４０，４１が金属素材などの不透明な部材で構成された場合、これによってクレセント錠などの施錠手段近傍が外部から目隠し状態となるので、どのような構造の施錠手段が設けられているのか、また、その施錠や解錠などの状態を外部から認識でき難くすることができる。
【００１７】
上述の第１の実施例に係るサッシ窓は、複層ガラス、合わせガラス又は合わせ複層ガラスなどといった防犯性能の高い防犯ガラス、又は一般の汎用板ガラスに防犯フィルムを装着したもの、あるいは前述の防犯ガラスに防犯フィルムを装着したものなどで構成される窓ガラス１５，２５のクレセント錠３０及びクレセント受３１近傍に、アルミ板、合成樹脂、木質材、その他の金属素材などで構成されるガラス面板補強構造体４０，４１を設けるようにしたものである。これと同じように、防犯フィルムなどのガラス面板補強構造体を重ね貼りすることによって同様の機能を実現することは可能である。しかしながら、通常、防犯フィルムは、重ね貼りすると、長期の使用によって重ね貼りした接着箇所にガスが発生し、それに起因して重ねて貼ったフィルムの浮きやはがれが生じることにより、寿命が短くなるので、重ね貼りという工法は行われていなかったが、最近では、重ね貼りしてもガスの発生しない素材からなる防犯フィルムが出現している。そこで、以下説明する第２の実施例では、重ね貼りしてもガスの発生しない素材からなる防犯フィルムを用い、それを重ね貼りすることによってガラス面板補強構造体を構成するようにした。
【００１８】
図３は、本発明のサッシ窓の第２の実施例の概略構成を示す図である。図４は、図３のＢ−Ｂ線の断面を示す図である。図５は、図３のサッシ窓を外側の戸外から見た概略図である。このサッシ窓は、第１の実施例と同様の構成をしており、住宅や店舗などの構築構造物の窓部分に配置されるものであり、建物躯体の開口部に設けられたアルミ製の上枠１、下枠２及び縦枠３，４によって囲まれた矩形部分に設けらるものである。サッシ窓は内障子１０と外障子２０から構成される。内障子１０は、上框１１、下框１２、戸先框１３、内召し合せ框１４及び窓ガラス１５から構成される。外障子２０は、上框２１、下框２２、戸先框２３、外召し合せ框２４及び窓ガラス２５から構成される。
【００１９】
窓ガラス１５，２５は、複層ガラス、合わせガラス又は合わせ複層ガラスなどといった防犯性能の高い防犯ガラスや一般の汎用板ガラスで構成されている。第２の実施例では、この窓ガラス１５，２５の内側全面に防犯フィルム５１〜５６が重ね貼りされている。この防犯フィルム５１〜５６は、ポリエチレンテレフタレート樹脂膜３層の構造で、接着剤にはアクリル基材が用いられている。防犯フィルム５１〜５６の膜厚は約３６０［μｍ］で、重量は約４００〜５００［ｇ／ｍ2 ］である。防犯フィルム５１〜５６には、無色透明、ハーフミラーで構成されたシルバー色、曇りガラスのようなホワイト色などがある。このような防犯フィルムを用いることによって、長期の使用によって重ね貼りした接着箇所からガスが発生するようなこともなくなる。
【００２０】
この第２の実施例では、窓ガラス１５，２５の全面に装着される防犯フィルム５１，５２には、シルバー色やホワイト色の不透明なものを用い、図５に示すように、外部からクレセント錠３０及びクレセント受３１の位置などを視認することができないようにしてあると共に防犯フィルム５３〜５６が重ね貼りされていることも外部から視認することができないようにしてある。このように防犯フィルム５１，５２がシルバー色やホワイト色の不透明な部材で構成された場合、これによってクレセント錠などの施錠手段近傍が外部から目隠し状態となるので、どのような構造の施錠手段が設けられているのか、また、その施錠や解錠などの状態を外部から認識できなくすることができる。なお、防犯フィルム５３〜５６は、室内側に装着されることが好ましく、クレセント錠３０近傍を強化するように、その周囲に重ね貼り装着されることによって防犯性能が向上する。
【００２１】
このような一般的な引違いサッシ窓の場合、ガラス破りを行なおうとする侵入者は、施錠されたクレセント錠３０及びクレセント受３１付近のガラスを破壊しようとする。この第２の実施例では、窓ガラス１５，２５の内側表面であって、クレセント錠３０及びクレセント受３１を保護するように防犯フィルム５３〜５６が重ね貼りしてあるので、ガラス破りを行なおうとしてもこの重ね貼りされた防犯フィルム５３〜５６の強度によってこの個所のガラス破りを行なうことは非常に困難となる。また、この防犯フィルム５３〜５６が重ね貼りして無い部分のガラス破りを行なおうとした場合、その部分は防犯フィルム５１，５２によって保護されているので、この防犯フィルム５１，５２の性能に応じてガラス破りは困難なものとなる。このようにガラス破りが困難となり、侵入時間の遅延が増大することによって、侵入者は、結局侵入を諦めざるを得なくなるという状況が発生し、防犯性能を高めることができる。
【００２２】
上述の第２の実施例では、防犯フィルム５３〜５６の形状を窓ガラス１５，２５の外形に合わせて、長方形で構成する場合について説明したが、図６に示すように、クレセント錠３０及びクレセント受３１を中心とするような半円形状の防犯フィルム６３〜６６を同心円状に重ね貼りするようにしてもよい。また、長方形状の角を丸くなるように加工してもよい。さらに、上述の第２の実施例では、防犯フィルム５１〜５６，６１〜６６を３重に重ね貼りする場合について説明したが、重ね貼りの枚数は、２重でも、３重よりも多くてもよい。上述の第２の実施例では、防犯フィルム５３〜５６の大きさ（面積）については言及していないが、仮に防犯フィルム５３〜５６以外の窓ガラス部分が破られた場合でも、その部分から手が挿入されたとしてもクレセント錠に到達することが困難となる程度の大きさを有することが好ましい。重ね貼りする防犯フィルムの大きさは、Ａ０〜Ａ４，Ｂ０〜Ｂ４のような定型サイズで構成されていてもよく、窓ガラスに最適な大きさのものを重ね貼りするようにしてもよい。上述の実施の形態では、重ね貼りする防犯フィルムとして、ポリエチレンテレフタレート樹脂膜３層の構造で、接着剤にはアクリル基材を用いた場合について説明したが、これ以外の重ね貼りが可能な防犯フィルムであってもよく、また、膜厚や重量等のフィルム構成は、防犯性能の向上を担保できれば任意でよい。
【００２３】
図７は、図３のサッシ窓のさらに変形例を示す図である。このサッシ窓では、図３のように防犯フィルムを重ね貼りしたものに対して、さらに図１に示すようなアルミ板、合成樹脂、木質材、その他の金属素材などで構成されるガラス面板補強構造体４０，４１を設けるようにしたものである。この場合、重ね貼りされた防犯フィルム５１〜５６には段差が生じるので、ガラス面補強構造体４０，４１の下側には、これらの段差を生じずにより密着するように、例えば、防犯フィルム５３〜５６をガラス面補強構造体４０，４１の形に合わせて貼付したり、ゴムや軟質樹脂などの弾性部材を介在したりするとよい。これによって、重ね貼りによる防犯性能とガラス面補強構造体４０，４１による防犯性能が合わさった強力な防犯性能を実現することが可能となる。
【００２４】
なお、上述の実施の形態では、ガラス面板補強構造体４０と４１は、同じ幅のものを用いているが、これに限定されるものでなく、両者の幅は異なっていてもよく、その長さも同じでなくてもよい。また、ガラス面板補強構造体４０は、クレセント錠３０及びクレセント受３１を覆うように設けてあるが、クレセント錠３０及びクレセント受３１の一部分だけを覆うように設けてもよい。さらに、上述の実施の形態では、防犯ガラスとして、複層ガラス、合わせガラス又は合わせ複層ガラスを例に説明したが、フロート板ガラスを加熱・急冷して製造し、強度を高めた強化ガラスや金網を封入した網入ガラスなどでもよい。
【００２５】
上述の実施の形態では、ガラス面板補強構造体４０，４１を接着剤や両面テープなどによって窓ガラス１５，２５に接着固定する場合について説明したが、窓枠体（上框、下框、戸先框、召し合せ框など）に接合するようにしてもよい。また、上述の実施の形態では、引き違い窓を例に説明したが、これ以外の片引き窓、開き窓、辷り出し窓、上げ下げ窓、内開き窓、外開き窓等にも同様に適用できる。さらに、上述の実施の形態では、施錠手段がクレセント錠の場合について説明したが、クレセント錠以外の鍵部材であってもよく、また、クレセント錠に加えて補助ロック手段が設けられていたり、後で付加的に施錠手段などを設置した場合には、これらの施錠手段の近傍にも同様にガラス面板補強構造体（防犯フィルム等）を重ねて設けてもよい。
ることが好ましい。
【００２６】
なお、開閉可能な、例えば、片引き窓や開き窓等のサッシ窓とガラス板を嵌め殺した嵌め殺し窓が隣接して設けられている場合は、この隣接する嵌め殺し窓側にも上述の実施例の構成を適用してもよい。
【図面の簡単な説明】
【００２７】
【図１】本発明のサッシ窓の概略構成を示す図である。
【図２】図１のＡ−Ａ線の断面を示す図である。
【図３】本発明のサッシ窓の第２の実施例の概略構成を示す図である。
【図４】図３のＢ−Ｂ線の断面を示す図である。
【図５】図３のサッシ窓を外側の戸外から見た概略図である。
【図６】図３のサッシ窓の変形例を示す図である。
【図７】図３のサッシ窓のさらに変形例を示す図である。
【符号の説明】
【００２８】
１…上枠
２…下枠
３，４…縦枠
１０…内障子
２０…外障子
１１，２１…上框
１２，２２…下框
１３，２３…戸先框
１４，２４…召し合せ框
３０…クレセント錠
３１…クレセント受
４０，４１…ガラス面板補強構造体
５１〜５６…防犯フィルム
６１〜６６…防犯フィルム
【図１】
2005002774.tif 000003
【図２】
2005002774.tif 000004
【図３】
2005002774.tif 000005
【図４】
2005002774.tif 000006
【図５】
2005002774.tif 000007
【図６】
2005002774.tif 000008
【図７】
2005002774.tif 000009